(57)【要約】【課題】ディスク収納ケース内において、本来の位置にディスクを収納する他、小冊子収納スペースに、小冊子の代わりに他のディスクを収納して固定すること。【解決手段】ＤＶＤをディスクトレイ１の凹部３に収容する。すなわち、ＤＶＤの中央孔に突出部４を嵌合させ、ＤＶＤの下面側を凹部３に設けられた凸部５と段部６に当接させる。このようにＤＶＤが収納されたディスクトレイ１を、ディスク収納ケース内の小冊子収納スペースに収納する。このときディスクトレイ１は、ディスク収納ケース内の小冊子係止部に係止する。【選択図】  図１
2004359261.tif 000002
【特許請求の範囲】
【請求項１】
内部に小冊子を係止する係止部を有するディスク収納ケースに小冊子の代わりに収納されるディスクトレイであって、
トレイ本体部と、
このトレイ本体部に設けられ、ディスクを前記トレイ本体部に対し固定した状態で収納する収納部を有し、
前記トレイ本体部は、前記係止部に係止されることを特徴とするディスクトレイ。
【請求項２】
前記係止部は、前記ディスク収納ケースの内面に基端が取り付けられた舌片であることを特徴とする請求項１に記載のディスクトレイ。
【請求項３】
前記トレイ本体部は周縁部に棒状部を有し、前記舌片は前記棒状部を前記ディスク収納ケースの内面とにより保持するようにして前記トレイ本体部を係止することを特徴とする請求項２に記載のディスクトレイ。
【発明の詳細な説明】
【０００１】
【発明の属する技術分野】
本発明は、ＤＶＤ（デジタルビデオディスク）、ＣＤ（コンパクトディスク）、ＣＤ−ＲＯＭ等のようなディスクを収納するケースに収納されるディスクトレイに関し、追加的に収納するディスクをそのケース内に固定するためのディスクトレイに関する。
【０００２】
【従来の技術】
一般に上記のようなディスク収納ケースは、本体部とこの本体部に対し開閉する蓋部とを有し、蓋部の内面には、ディスクの内容を説明する小冊子を係止する係止部が設けられている（例えば、特許文献１参照）。
【０００３】
このようなディスク収納ケースにおいて、小冊子を取り除くなら、本来は１枚のディスクしか収容できないところ、更にもう１枚のディスクを、その小冊子の収納スペースに収納することができる。
【０００４】
ディスク収納ケースをこのように用いれば、ディスクの枚数に対して収納ケースが足りない場合、例えば、ある収納ケースを紛失した場合、それに収納されていたディスクは他のディスクが収納されている収納ケースに収納できる。
【０００５】
しかし、単に、小冊子を取り除いてそこにディスクを収納すれば、そのディスクは固定されていないので、持ち運び時にケース内を移動して収納ケース内面と接触し、情報記録面が傷つくという欠点があった。また、収納ケースの蓋部が不用意に開いた時にはそのディスクは収納ケースから脱落して床面などに接触し、情報記録面が傷つくという欠点があった。
【０００６】
【特許文献１】
特開２００２−１９８７１号公報（第３頁、第３２−３４行、第１図）
【０００７】
【発明が解決しようとする課題】
このようにディスク収納ケースの中の小冊子収納スペースに、小冊子の代わりにディスクを収納した場合、そのディスクは、持ち運び時のケース内の移動や、不用意に蓋部が開いたときの脱落によって情報記録面が損なわれていた。
【０００８】
本発明の目的は、ディスク収納ケース内の小冊子収納スペースに、小冊子の代わりに収納したディスクを、収納ケース内に固定し、その情報記録面を保護することにある。
【０００９】
【課題を解決するための手段】
そこで、本発明では、内部に小冊子を係止する係止部を有するディスク収納ケースに小冊子の代わりに収納されるディスクトレイであって、トレイ本体部と、このトレイ本体部に設けられ、ディスクを前記トレイ本体部に対し固定した状態で収納する収納部を有し、前記トレイ本体部は、前記係止部に係止されることを特徴とする。
【００１０】
このような構成のディスクトレイにディスクを収納し、そのディスクトレイをディスク収納ケースに収納する。このときディスクトレイは、係止部に係止する。これにより、ディスク収納ケースの内部には、本来のディスク収納位置に収納されるディスクの他にもう１枚のディスクを収納固定することができる。
【００１１】
前記係止部は、前記ディスク収納ケースの内面に基端が取り付けられた舌片とすると、ディスクトレイはこの舌片に係止される。
【００１２】
さらに、前記トレイ本体部には、その周縁部に棒状部を設け、前記舌片が前記棒状部を前記ディスク収納ケースの内面とにより保持するようにして前記トレイ本体部を係止すると、ディスクトレイは前記棒状部を中心にして回動可能となる。
【００１３】
【発明の実施の形態】
図１および図２に本発明のＤＶＤ用ディスクトレイ１を示す。図１において（ａ）は平面図、（ｂ）は側面図、（ｃ）は正面図である。図１（ａ）に示すＡ−Ａ線、Ｂ−Ｂ線、Ｃ−Ｃ線の各断面図をそれぞれ図２の（ａ）、（ｂ）、（ｃ）に示す。
【００１４】
図１（ａ）に示すように、トレイ本体部２の形状は、手前側が矩形であり後方側がほぼ半円形の板状であり、周縁部が下方に一定の幅で折り曲げられたような幅を有する形状とされている。図１（ａ）および図２（ａ）に示すように、トレイ本体部２の表面側の中央には、ＤＶＤより僅かに大きい径の円板状に窪んだ凹部３が形成されている。凹部３はＤＶＤを収容するためのものであり、凹部３の中央には図２（ａ）、（ｂ）に示すように、孔部３ａが設けられ、この孔部３ａの周縁から突出する突出部４と、この突出部４を中心とするリング状の凸部５が設けられている。図１（ａ）および図２（ｃ）に示すように、凹部３の周縁部には段部６が設けられている。凸部５と段部６は同一の高さである。
【００１５】
図１（ａ）に示すように、段部６は、２箇所で途切れている。この途切れた２箇所から外側に向けて、凹部３が拡張された形状となるようにそれぞれ凹部７が設けられている。凹部７は、凹部３に収容されたＤＶＤを取り出す時に、指先を入れることができ、ＤＶＤを取り出し易くするためのものである。
【００１６】
図１（ａ）および図２（ｂ）に示すように、突出部４は、有蓋円筒状のものが中心から縦方向に均等に５つに分断された形状である。突出部４の各要素４ａ間は空隙４ｄがあり、この空隙は、凹部３の底面において、リング状の凸部５の内側を均等に５つに分ける５つの空隙５ａにそれぞれ繋がっている。突出部４の各要素４ａは側面の上部近傍において外側に突出した突起４ｂを有している。このように突出部４は、複数の要素４ａから成るように構成されているので弾力性に富む。各突起４ｂの下方で対向する位置における凹部３の底面には孔部４ｃが設けられている。
【００１７】
突出部４は、ＤＶＤを凹部３に収容するときに、ＤＶＤの中央孔に嵌合するものである。そしてＤＶＤは、その中央孔に突出部４を挿通され、さらに各要素４ａの突起４ｂを乗り越えて嵌合すると、そのＤＶＤの下面側は凸部５と段部６に当接する。こうして、ＤＶＤは凹部３に収容される。突出部４、凹部３、凸部５および段部６がＤＶＤを収容する収容部を構成する。
【００１８】
図１（ａ）に示すように、トレイ本体部２の手前側の両隅にはそれぞれ矩形の孔部８が設けられている。トレイ本体部２の手前側の周縁部であって、孔部８と外部を仕切る部分は直線状の棒状部９となっている。図１の（ｃ）に示すように、その棒状部９は、前記手前側周縁部の他の部分よりも細く形成されている。
【００１９】
本ディスクトレイ１は例えばポリプロピレンのような合成樹脂によって一体成型されて製造されるものである。ディスクトレイ１における孔部３ａおよび孔部４ｃは、ディスクトレイ１を一体成型するために必要である。すなわち、ディスクトレイ１は、その表側と裏側から挟むような形状の１対の型によって形成されるので、孔部３ａは突出部４の上板部を形成するためのものであり、孔部４ｃは突起４ｂを形成するためのものである。
【００２０】
次に、このような構成のディスクトレイ１が、ディスク収納ケースに収容されて用いられる場合を説明する。ここでディスク収納ケースは、きわめて一般的なＤＶＤディスク収納ケースである。
【００２１】
ディスク収納ケースの一例を図３〜図５を参照して説明する。図３は、ディスク収納ケース１０の外観を示す斜視図である。
【００２２】
図３に示すように、ディスク収納ケース１０は薄い箱型であり、ケース本体部１１とケース蓋部１２と、それらの間に連設された背板１４を備え、さらに、シート３０を備える。シート３０は、ケース本体部１１の底板部外面と、背板１４の外面と、ケース蓋部１２の上板部の外面を覆っており、ケース本体部１１とケース蓋部１２の手前側周縁近傍でそれぞれに固着され、他の部分では固着されていない。
【００２３】
図３に示すように、このディスク収納ケース１０が閉じた状態のときは、手前側の面に凹部１３が形成される。この凹部１３は、この縁に指先を掛けてディスク収納ケース１０を開け易くするために設けている。
【００２４】
図４は、ディスク収納ケース１０を開けて広げ、その内部を示す図である。図５の（ａ）、（ｂ）はそれぞれ、図４に示したＸ−Ｘ線、Ｙ−Ｙ線における断面図である（但し図３に示したシート３０は図示省略）。図４および図５に示すように、ケース本体部１１とケース蓋部１２は、背板部１４の長手方向の２辺でそれぞれ繋がれ、それぞれは背板部１４に対して回動可能とされている。
【００２５】
図３〜図５に示すように、ケース本体部１１の周縁部であって、背板部１４との接続辺を除く部分には側板１５が立設されている。同様にケース蓋部１２の周縁部であって、背板部１４との接続辺を除く部分には側板１６が立設されている。
【００２６】
側板１５と側板１６は、図３に示した凹部１３を形成するように、それぞれの対応箇所が２重になっている。図３および図５（ｂ）に示すように、それらの外側の側板部分１５ａ，１６ａは内側の側板部分１５ｂ，１６ｂよりも低く形成されている。内側の側板部分１５ｂ，１６ｂは、他の側板部分と同じ高さである。
【００２７】
図４および図５（ａ），（ｂ）に示すように、背板部１４の中央長手方向に設けられた仕切り板１９の中央は、他の部分よりも高い板状部１９ａとなっている。板状部１９ａは、本収納ケース１０が閉じた状態のときに、収納したＤＶＤの脱落を阻止する押さえとなるものである。
【００２８】
図４および図５（ｂ）に示すように、ケース本体部１１の底板部内面１１ａの中央には、孔部１８が設けられており、この孔部１８の周縁に突出部２０が設けられている。突出部２０は、収納されるＤＶＤの中央孔に嵌合するものである。突出部２０は、有蓋の円筒状のものが、図４に示すように、縦方向に４つの要素に切り分けられた形状となっている。すなわち、突出部２０は、周囲の三方から切り欠かれた形状の中央要素２０ａと、その切り欠かれた部分を充填する形状の３つの側部要素２０ｂとから成っている。各側部要素２０ｂの外側の側面の上部近傍には突起２０ｃが設けられている。突起２０ｃは、この突出部２０にＤＶＤが嵌合したときに、抜けにくくするためのものである。図４に示すように、底板部内面１１ａであって各側部要素２０ｂの基端部近傍にはそれぞれに孔部２０ｄが設けられている。
【００２９】
このように突出部２０を複数の要素から構成することによって、突出部２０に弾力性をもたせている。そして、突出部２０は、この弾力性によってＤＶＤの中央孔に嵌合することを容易にしている。
【００３０】
図４および図５（ｂ）に示すように、底板部内面１１ａにおいて、突出部２０を中心とし、突出部２０および３つの孔部２０ｄを囲むようにリング状凸部２１が設けられている。さらに、底板部内面１１ａにおいて、突出部２０を中心とし、リング状凸部２１よりも大きい径のリング状凸部２２が設けられている。図５（ｂ）に示すように、リング状凸部２２は、内側に段部２２ａが形成されており、この段部２２ａの外側周縁部の径は収納すべきＤＶＤよりもわずかに大きい径となっている。リング状凸部２２の段部２２ａの高さと、リング状凸部２１の高さは同じである。収納されるＤＶＤは、その中央孔に突出部２０が嵌合した状態で、底板部内面１１ａ側に押されると、リング状凸部２２の段部２２ａとリング状凸部２１に当接し、ここで支持される。図４に示すように、リング状凸部２２の一箇所には、指先が挿入できる切り欠き部２２ｂが設けられており、収納されたＤＶＤを取り出し易くしている。
【００３１】
図４に示すように、ケース蓋部１２の２つの角部の近傍には、小冊子を係止する係止部である舌片２３がそれぞれ設けられている。舌片２３は、基端を内面１２ａに取り付けられ、先端を奥方向に向けている。小冊子は、この舌片２３と上板部内面１２ａとにより挟まれて係止される。舌片２３は、図５（ａ）に示すように、基端から内面１２ａに対し直角方向に延び、次に内面１２ａに対しほぼ平行に背板１４側に向かって向かって延び、次に湾曲した形状となっている。そして、その湾曲部分２３ａの腹の部分で冊子を押圧するようになっている。上板部内面１２ａにおいて、舌片２３と対向する部分には、孔部２３ｂが形成されている。
【００３２】
図４に示すように、上板部内面１２ａの周縁近傍であって２つの舌片２３の間には押さえ部２４が設けられている。図５（ｂ）に示すように、押さえ部２４は、断面がＬ字型の形状である。本ケース１０が閉じたときの状態において、押さえ部２４の上板部分２４ａは、収納されたＤＶＤの上面近傍に位置し、ＤＶＤの脱落を防止する。また、上板部内面１２ａにおいて、押さえ部２４の上板部分２４ａに対向する箇所は孔部２４ｂが設けられている。
【００３３】
図４に示すように、ケース蓋部１２の側板１６の内側であって２つの舌片２３の近傍には一対の係合板２５が設けられている。一方、ケース本体部１１の側板１５の内側には一対の受け部２６が設けられている。係合板２５は、本収納ケース１０が閉じたときに、受け部２６に保持される。図５（ａ）に示すように、係合板２５には凸部２５ａが設けられ、側板１５には凹部２６ａが設けられている。これらは、係合板２５が受け部２６に保持されると係合する。
【００３４】
本収納ケース１０は、合成樹脂で一体成型により製造されるものである。本収納ケース１０における孔部１８、孔部２０ｄ、孔部２３ｂおよび孔部２４ｂは、本ディス収納ケース１０を一体成型するために必要である。すなわち、本ディス収納ケース１０は、図４および図５に示したように広げた形状において、その外側と内側から挟む１対の型によって形成されるので、孔部１８は突出部２０の上板部を形成するため、孔部２０ｄは突起２０ｃを形成するため、孔部２３ｂは舌片２３を形成するため、孔部２４ｂは押さえ部２４の上板部分２４ａを形成するためそれぞれ必要である。
【００３５】
次に、このような構成の収納ケース１０に、本発明のディスクトレイ１を用いてＤＶＤを２枚収納する場合について説明する。
【００３６】
まず、図４に示すように収納ケース１０を開けた状態にし、ケース蓋部１２に冊子があれば取り除き、そこに図１に示したディスクトレイ１を図６に示すように収納する。すなわち、ディスクトレイ１の表面が上側になるようにし、ディスクトレイ１の２つの棒状部９を、それぞれ舌片２３と上板部内面１２ａとの間に挿入する。そして棒状部９は、舌片２３の基端側に至らせる。これによって、ディスクトレイ１は、舌片２３の基端部側で回動可能に係止された状態でケース蓋部１２に収納される。
【００３７】
次に、図７に示すように、第１のＤＶＤ３１を、本ディスク収納ケース１０の本来の収納箇所に収納する。すなわち、第１のＤＶＤ３１を、ケース本体部１１の突出部２０にその第１のＤＶＤ３１の中央孔に嵌合させ、リング状凸部２１とリング状凸部２２で支持する状態にする。そして、第２のＤＶＤ３２を、ディスクトレイ１の収納箇所に収納する。すなわち、第２のＤＶＤ３２を、ディスクトレイ１の突出部４に第２のＤＶＤ３２の中央孔に嵌合させ、凸部５と段部６で支持する状態にする。
【００３８】
次に、この状態で本収納ケース１０を閉じる。このとき、ディスクトレイ１は、図７に示したように棒状部９を舌片２３ａにより係止された状態で、図８の断面図に示すようになる。すなわち、ディスクトレイ１は、押さえ部２４と板状部１９ａによって支持され、さらに、ケース本体部１１の突出部２０とディスクトレイ１の突出部４が突き当たることによって支持される。このとき、本来小冊子が収納されていたスペースにディスクトレイ１が収納されるので、第１のＤＶＤ３１の収納が阻害することはない。
【００３９】
上記の説明では、ディスクトレイ１をディスク収納ケース１０に係止した後、そのディスクトレイ１に第２のディスク３２を収容したが、ディスクトレイ１に第２のディスク３２を収容した後にそのディスクトレイ１をディスク収納ケース１０に係止しても良い。
【００４０】
上記の例は、収納すべきディスクがＤＶＤであり、ディスク収納ケースがＤＶＤ用であるが、これは例えばＣＤ、ＣＤ−ＲＯＭのような他の種類のディスクとその収納ケースであっても同様である。
【００４１】
また、上記の例では、ディスク収納ケースは本来１枚のディスクを収納するものであるが、小冊子を収納するスペースとその小冊子を係止する係止部を有するものであれば、本来複数枚のディスクを収納するものであっても同様にしてさらに追加的に１枚のディスクをそのディスク収納ケース内に固定収納できる。
【００４２】
【発明の効果】
本発明によれば、小冊子の代わりに追加的に収納したディスクをディスク収納ケース内に固定することができるので、持ち運び時にがたつくことがなく、また不用意に本収納ケースを開けても脱落しないので、その情報記録面を破損しないようにすることができる。
【図面の簡単な説明】
【図１】本発明のディスクトレイを示す図であって、（ａ）は平面図、（ｂ）は側面図、（ｃ）は正面図。
【図２】図１に示した各線における断面を示す図であって、（ａ）はＡ−Ａ線の断面図、（ｂ）はＢ−Ｂ線の断面図、（ｃ）はＣ−Ｃ線の断面図。
【図３】図１および図２に示したディスクトレイが収納されるディスク収納ケースの外観を示す図。
【図４】図３に示したディスク収納ケースを開けたときの内側を示す図。
【図５】図４に示す各線における断面図であって、（ａ）はＸ−Ｘ線の断面図、（ｂ）はＹ−Ｙ線の断面図。
【図６】図４に示したディスク収納ケースに本発明のディスクトレイが収納された状態を示す図。
【図７】図６に示した状態のディスク収納ケースに、ＤＶＤが収納された状態を示す図。
【図８】ディスクトレイが収納され、２枚のＤＶＤが収納されて閉じた状態にあるディスク収納ケースの断面図。
【符号の説明】
１  ディスクトレイ
２  トレイ本体部
３  凹部
４  突出部
５  凸部
６  段部
１０  ディスク収納ケース
２３  係止部
【図１】
2004359261.tif 000003
【図２】
2004359261.tif 000004
【図３】
2004359261.tif 000005
【図４】
2004359261.tif 000006
【図５】
2004359261.tif 000007
【図６】
2004359261.tif 000008
【図７】
2004359261.tif 000009
【図８】
2004359261.tif 000010